(57)【要約】記録ディスク駆動装置は、筐体に受け止められる底面から垂直方向に直立する取り付け台（３１）を備える。この取り付け台（３１）の側面からは水平面に沿って突片（３２）が突き出る。突片（３２）では、記録ディスクの中心に向かうにつれて記録ディスクに近づく傾斜面（３５）が規定される。突片（３２）の表面には、傾斜面（３５）の最上端から取り付け台（３１）の側面に並列に水平方向に延びる第１および第２摺動面（３６、３７）が連続して規定される。これらの傾斜面（３５）、第１および第２摺動面（３６、３７）には規制部材（３９）の対向面が向き合わせられる。こうした規制部材（３９）によれば、記録ディスク駆動装置に衝撃が加わっても、ヘッドアクチュエータの先端は規制部材（３９）の対向面に受け止められる。ヘッドスライダの跳ね上がりは確実に阻止されることができる。
2004114309.tif 000002
【特許請求の範囲】
【請求項１】
筐体と、筐体に組み込まれる記録ディスクと、記録ディスクの表面に向き合わせられるヘッドスライダと、先端でヘッドスライダを支持するヘッドアクチュエータと、筐体に受け止められる底面から垂直方向に直立する取り付け台と、取り付け台の側面から水平面に沿って突き出て、記録ディスクの中心に向かうにつれて記録ディスクに近づく傾斜面を規定する突片と、筐体の内側に配置されて、対向面で突片上の傾斜面に向き合わせられる規制部材とを備えることを特徴とする記録ディスク駆動装置。
【請求項２】
請求の範囲第１項に記載の記録ディスク駆動装置において、前記突片上に規定されて、傾斜面の最上端から取り付け台の側面に並列に水平方向に延びる第１摺動面と、突片上に規定されて、第１摺動面から下降しつつ取り付け台の側面に並列に延びる第２摺動面とをさらに備え、第１摺動面は規制部材に向き合わせられることを特徴とする記録ディスク駆動装置。
【請求項３】
請求の範囲第２項に記載の記録ディスク駆動装置において、前記第２摺動面は前記規制部材に向き合わせられることを特徴とする記録ディスク駆動装置。
【請求項４】
請求の範囲第１項〜第３項のいずれかに記載の記録ディスク駆動装置において、前記規制部材は筐体の内向き面に固定されることを特徴とする記録ディスク駆動装置。
【請求項５】
請求の範囲第１項〜第３項のいずれかに記載の記録ディスク駆動装置において、前記規制部材は一体成型に基づき前記取り付け台および突片に一体化されることを特徴とする記録ディスク駆動装置。
【請求項６】
記録ディスク駆動装置の筐体に受け止められる底面から垂直方向に直立する取り付け台と、取り付け台の側面から水平面に沿って突き出て、記録ディスクの中心に向かうにつれて記録ディスクに近づく傾斜面を規定する突片と、対向面で傾斜面に向き合わせられる規制片とを備えることを特徴とする記録ディスク駆動装置用ランプ部材。
【請求項７】
請求の範囲第６項に記載の記録ディスク駆動装置用ランプ部材において、突片上に規定されて、傾斜面の最上端から取り付け台の側面に並列に水平方向に延びる第１摺動面と、突片上に規定されて、第１摺動面から下降しつつ取り付け台の側面に並列に延びる第２摺動面とをさらに備え、第１摺動面は規制片に向き合わせられることを特徴とする記録ディスク駆動装置用ランプ部材。
【請求項８】
請求の範囲第６項または第７項に記載の記録ディスク駆動装置用ランプ部材において、前記規制片は一体成型に基づき前記取り付け台に連結されることを特徴とする記録ディスク駆動装置用ランプ部材。
【請求項９】
記録ディスク駆動装置の筐体に受け止められる底面から垂直方向に直立する取り付け台と、取り付け台の側面から水平面に沿って突き出て、記録ディスクの中心に向かうにつれて記録ディスクに近づく傾斜面を規定する突片と、突片上に規定されて、傾斜面の最上端から取り付け台の側面に並列に水平方向に延びる第１摺動面と、突片上に規定されて、第１摺動面から下降しつつ取り付け台の側面に並列に延びる第２摺動面と、対向面で第１摺動面に向き合わせられる規制片とを備えることを特徴とする記録ディスク駆動装置用ランプ部材。
【請求項１０】
請求の範囲第９項に記載の記録ディスク駆動装置用ランプ部材において、前記規制片は一体成型に基づき前記取り付け台に連結されることを特徴とする記録ディスク駆動装置用ランプ部材。
【請求項１１】
基準平面に沿って広がり、先端でヘッドスライダを支持するヘッドサスペンションに向き合わせられる内向き面と、内向き面から盛り上がり、ヘッドサスペンションの先端を受け止めるランプ部材に向き合わせられる変位規制面とを備えることを特徴とするハウジング用カバー。
【請求項１２】
請求の範囲第１１項に記載のハウジング用カバーにおいて、前記変位規制面には、ランプ部材上に規定されて、記録ディスクの中心に向かうにつれて記録ディスクに近づく傾斜面が向き合わせられることを特徴とするハウジング用カバー。
【請求項１３】
請求の範囲第１２項に記載のハウジング用カバーにおいて、前記変位規制面には、傾斜面の最上端から連続してランプ部材上に規定されて、記録ディスクから遠ざかる方向に延びる摺動面が向き合わせられることを特徴とするハウジング用カバー。
【請求項１４】
基準平面に沿って広がり、先端でヘッドスライダを支持するヘッドサスペンションに向き合わせられる内向き面と、内向き面から盛り上がる変位規制面とを備え、変位規制面には、ランプ部材上に規定されて、記録ディスクの中心に向かうにつれて記録ディスクに近づく傾斜面が向き合わせられることを特徴とするハウジング用ベース。
【請求項１５】
請求の範囲第１４項に記載のハウジング用ベースにおいて、前記変位規制面には、傾斜面の最上端から連続してランプ部材上に規定されて、記録ディスクから遠ざかる方向に延びる摺動面が向き合わせられることを特徴とするハウジング用ベース。
【発明の詳細な説明】
【技術分野】  本発明は、例えばハードディスク駆動装置（ＨＤＤ）といった記録ディスク駆動装置に関し、特に、記録ディスク駆動装置の筐体に受け止められる底面から垂直方向に直立する取り付け台と、取り付け台の側面から水平面に沿って突き出て、記録ディスクの中心に向かうにつれて記録ディスクに近づく傾斜面を規定する突片とを備える記録ディスク駆動装置用ランプ部材に関する。
【背景技術】  例えばハードディスク駆動装置（ＨＤＤ）の分野ではいわゆるロードアンロード機構は広く知られる。このロードアンロード機構では、磁気ディスクの静止時に浮上ヘッドスライダは磁気ディスクの外側に設定される待避位置に待避する。この待避位置ではヘッドサスペンションの先端すなわちロードタブはランプ部材に受け止められる。
浮上ヘッドスライダが磁気ディスクに向かって移動する際や、浮上ヘッドスライダが磁気ディスクから待避する際に、ロードタブはランプ部材上を摺動する。このとき、ＨＤＤに衝撃が加わると、ロードタブはランプ部材から跳ね上がる。浮上ヘッドスライダはＨＤＤの筐体に強く打ち付けられてしまう。浮上ヘッドスライダの損傷は引き起こされる。
【特許文献１】  日本国特開２００２−２９８５３１号公報
【発明の開示】
本発明は、上記実状に鑑みてなされたもので、ヘッドスライダが記録ディスクに向かって移動する際や、ヘッドスライダが記録ディスクから待避する際に、ヘッドスライダの跳ね上がりを確実に阻止することができる記録ディスク駆動装置を提供することを目的とする。
上記目的を達成するために、本発明によれば、筐体と、筐体に組み込まれる記録ディスクと、記録ディスクの表面に向き合わせられるヘッドスライダと、先端でヘッドスライダを支持するヘッドアクチュエータと、筐体に受け止められる底面から垂直方向に直立する取り付け台と、取り付け台の側面から水平面に沿って突き出て、記録ディスクの中心に向かうにつれて記録ディスクに近づく傾斜面を規定する突片と、筐体の内側に配置されて、対向面で突片上の傾斜面に向き合わせられる規制部材とを備えることを特徴とする記録ディスク駆動装置が提供される。
ヘッドスライダが記録ディスクから待避する際、ヘッドアクチュエータの回転に基づきヘッドアクチュエータの先端は傾斜面に接触する。さらにヘッドアクチュエータが揺動すると、ヘッドアクチュエータの先端は傾斜面を登っていく。その後、ヘッドアクチュエータの先端は突片の表面を摺動する。こうしてヘッドスライダは待避位置に待避する。
その一方で、ヘッドスライダが記録ディスクに向かって移動する際、ヘッドアクチュエータの回転に基づきヘッドアクチュエータの先端は傾斜面を下っていく。こうしてヘッドアクチュエータの先端が傾斜面を下っていく間にヘッドスライダは記録ディスクの表面に向き合う。気流の作用でヘッドスライダに浮力が付与される。こうした浮力に基づきヘッドスライダは記録ディスクの表面から浮上し続ける。
こういった記録ディスク駆動装置では規制部材は対向面で傾斜面に向き合わせられる。ヘッドスライダが記録ディスクに向かって移動する際や、ヘッドスライダが記録ディスクから待避する際に、記録ディスク駆動装置に衝撃が加わると、ヘッドスライダは傾斜面から跳ね上がろうとする。このとき、ヘッドアクチュエータの先端は規制部材の対向面に受け止められる。規制部材の働きでヘッドスライダの跳ね上がりは確実に阻止される。ヘッドスライダと筐体との衝突は回避される。
こうした記録ディスク駆動装置は、突片上に規定されて、傾斜面の最上端から取り付け台の側面に並列に水平方向に延びる第１摺動面と、突片上に規定されて、第１摺動面から下降しつつ取り付け台の側面に並列に延びる第２摺動面とをさらに備えてもよい。このとき、第１摺動面は規制部材に向き合わせられてもよく、第２摺動面は規制部材に向き合わせられてもよい。
ヘッドスライダが記録ディスクから待避する際、ヘッドアクチュエータの先端は傾斜面から第１摺動面に向かう。ヘッドアクチュエータがさらに揺動すると、ヘッドアクチュエータの先端は第１摺動面から第２摺動面に向かって摺動する。このとき、記録ディスク駆動装置に衝撃が加わっても、ヘッドアクチュエータの先端は規制部材の対向面に受け止められる。規制部材の働きでヘッドスライダの跳ね上がりは確実に阻止されることができる。
一般に、取り付け台および突片はランプ部材を構成する。規制部材は一体成型に基づき取り付け台および突片に一体化されてもよい。その他、規制部材は筐体の内向き面に固定されてもよい。
以上のような記録ディスク駆動装置の実現にあたって、記録ディスク駆動装置の筐体に受け止められる底面から垂直方向に直立する取り付け台と、取り付け台の側面から水平面に沿って突き出て、記録ディスクの中心に向かうにつれて記録ディスクに近づく傾斜面を規定する突片と、対向面で傾斜面に向き合わせられる規制片とを備えることを特徴とする記録ディスク駆動装置用ランプ部材が提供されればよい。
こういった記録ディスク駆動装置用ランプ部材では規制片は対向面で傾斜面に向き合わせられる。ヘッドスライダが記録ディスクに向かって移動する際や、ヘッドスライダが記録ディスクから待避する際に、記録ディスク駆動装置に衝撃が加わっても、ヘッドアクチュエータの先端は規制片の対向面に受け止められる。規制片の働きでヘッドスライダの跳ね上がりは確実に阻止される。
こうした記録ディスク駆動装置用ランプ部材は、突片上に規定されて、傾斜面の最上端から取り付け台の側面に並列に水平方向に延びる第１摺動面と、突片上に規定されて、第１摺動面から下降しつつ取り付け台の側面に並列に延びる第２摺動面とをさらに備えてもよい。このとき、第１摺動面は規制片に向き合わせられればよい。規制片は一体成型に基づき取り付け台に連結されればよい。
さらに、前述のような記録ディスク駆動装置の実現にあたって、記録ディスク駆動装置の筐体に受け止められる底面から垂直方向に直立する取り付け台と、取り付け台の側面から水平面に沿って突き出て、記録ディスクの中心に向かうにつれて記録ディスクに近づく傾斜面を規定する突片と、突片上に規定されて、傾斜面の最上端から取り付け台の側面に並列に水平方向に延びる第１摺動面と、突片上に規定されて、第１摺動面から下降しつつ取り付け台の側面に並列に延びる第２摺動面と、対向面で第１摺動面に向き合わせられる規制片とを備えることを特徴とする記録ディスク駆動装置用ランプ部材が提供されてもよい。このとき、規制片は一体成型に基づき取り付け台に連結されればよい。
前述のような記録ディスク駆動装置の実現にあたって、基準平面に沿って広がり、先端でヘッドスライダを支持するヘッドサスペンションに向き合わせられる内向き面と、内向き面から盛り上がり、ヘッドサスペンションの先端を受け止めるランプ部材に向き合わせられる変位規制面とを備えることを特徴とするハウジング用カバーが提供されてもよい。
こうしたハウジング用カバーが記録ディスク駆動装置に組み込まれると、変位規制面は、ヘッドサスペンションの先端に向き合わせられる。ヘッドスライダが記録ディスクに向かって移動する際や、ヘッドスライダが記録ディスクから待避する際に、記録ディスク駆動装置に衝撃が加わっても、ヘッドサスペンションの先端は変位規制面に受け止められる。変位規制面の働きでヘッドスライダの跳ね上がりは確実に阻止されることができる。
こうしたハウジング用カバーでは、変位規制面には、ランプ部材上に規定されて、記録ディスクの中心に向かうにつれて記録ディスクに近づく傾斜面が向き合わせられればよい。変位規制面には、傾斜面の最上端から連続してランプ部材上に規定されて、記録ディスクから遠ざかる方向に延びる摺動面がさらに向き合わせられてもよい。
さらに、前述のような記録ディスク駆動装置の実現にあたって、基準平面に沿って広がり、先端でヘッドスライダを支持するヘッドサスペンションに向き合わせられる内向き面と、内向き面から盛り上がる変位規制面とを備え、変位規制面には、ランプ部材上に規定されて、記録ディスクの中心に向かうにつれて記録ディスクに近づく傾斜面が向き合わせられることを特徴とするハウジング用ベースが提供されてもよい。
こうしたハウジング用ベースが記録ディスク駆動装置に組み込まれると、変位規制面は、ヘッドサスペンションの先端に向き合わせられる。ヘッドスライダが記録ディスクに向かって移動する際や、ヘッドスライダが記録ディスクから待避する際に、記録ディスク駆動装置に衝撃が加わっても、ヘッドサスペンションの先端は変位規制面に受け止められる。変位規制面の働きでヘッドスライダの跳ね上がりは確実に阻止されることができる。
こうしたハウジング用ベースでは、変位規制面には、傾斜面の最上端から連続してランプ部材上に規定されて、記録ディスクから遠ざかる方向に延びる摺動面が向き合わせられればよい。
【図面の簡単な説明】  図１は、本発明の一実施形態に係る記録ディスク駆動装置の一具体例すなわちハードディスク駆動装置（ＨＤＤ）の構造を概略的に示す平面図である。
図２は、一具体例に係るランプ部材の拡大斜視図である。
図３は、図１の３−３線に沿ったＨＤＤの拡大部分断面図であって、ランプ部材の構造および機能を概略的に示す図である。
図４は、他の具体例に係るランプ部材の拡大斜視図である。
図５は、図３に対応するＨＤＤの拡大部分断面図である。
【発明を実施するための最良の形態】  以下、添付図面を参照しつつ本発明の実施形態を説明する。
図１は、本発明に係る記録ディスク駆動装置の一具体例すなわちハードディスク駆動装置（ＨＤＤ）１１の内部構造を概略的に示す。このＨＤＤ１１は、例えば平たい直方体の内部空間を区画する箱形の筐体本体すなわちハウジング用ベース１２を備える。収容空間には、記録媒体としての１枚の磁気ディスク１３が収容される。磁気ディスク１３はスピンドルモータ１４の回転軸に装着される。スピンドルモータ１４は例えば５４００ｒｐｍや７２００ｒｐｍといった高速度で磁気ディスク１３を回転させることができる。ベース１２には、ベース１２との間で収容空間を密閉する蓋体すなわちハウジング用カバー（図示されず）が結合される。
磁気ディスク１３の表面には、最内周記録トラック１５と最外周記録トラック１６との間にデータゾーン１７が区画される。データゾーン１７には同心円状に記録トラックが描かれる。最内周記録トラック１５の内側や最外周記録トラック１６の外側に区画される非データゾーンには情報すなわちデータは記録されない。
収容空間にはヘッドアクチュエータ１８がさらに収容される。このヘッドアクチュエータ１８は、垂直方向に延びる支軸１９に回転自在に連結されるアクチュエータブロック２１を備える。アクチュエータブロック２１には、支軸１９から水平方向に延びる複数のアクチュエータアーム２２が区画される。こういったアクチュエータブロック２１は例えば鋳造に基づきアルミニウムから成型されればよい。
個々のアクチュエータアーム２２の先端には、アクチュエータアーム２２から前方に延びるヘッドサスペンション２３が取り付けられる。ヘッドサスペンション２３の先端にはいわゆるジンバルばね（図示されず）が接続される。ジンバルばねの表面に浮上ヘッドスライダ２４は固定される。こうしたジンバルばねの働きで浮上ヘッドスライダ２４はヘッドサスペンション２３に対してその姿勢を変化させることができる。
浮上ヘッドスライダ２４にはいわゆる磁気ヘッドすなわち電磁変換素子（図示されず）が搭載される。この電磁変換素子は、例えば、薄膜コイルパターンで生成される磁界を利用して磁気ディスク１３に情報を書き込む薄膜磁気ヘッドといった書き込み素子（図示されず）と、スピンバルブ膜やトンネル接合膜の抵抗変化を利用して磁気ディスク１３から情報を読み出す巨大磁気抵抗効果（ＧＭＲ）素子やトンネル接合磁気抵抗効果（ＴＭＲ）素子といった読み出し素子（図示されず）とで構成されればよい。
浮上ヘッドスライダ２４には、磁気ディスク１３の表面に向かってヘッドサスペンション２３から押し付け力が作用する。磁気ディスク１３の回転に基づき磁気ディスク１３の表面で生成される気流の働きで浮上ヘッドスライダ２４には浮力が作用する。ヘッドサスペンション２３の押し付け力と浮力とのバランスで磁気ディスク１３の回転中に比較的に高い剛性で浮上ヘッドスライダ２４は浮上し続けることができる。
こういった浮上ヘッドスライダ２４の浮上中にヘッドアクチュエータ１８が支軸１９回りで回転すると、浮上ヘッドスライダ２４は磁気ディスク１３の半径線に沿って移動することができる。その結果、浮上ヘッドスライダ２４上の電磁変換素子は最内周記録トラック１５と最外周記録トラック１６との間でデータゾーン１７を横切ることができる。こうして浮上ヘッドスライダ２４上の電磁変換素子は目標の記録トラック上に位置決めされる。ヘッドアクチュエータ１８の回転は例えばボイスコイルモータ（ＶＣＭ）といった動力源２５の働きを通じて実現されればよい。
ヘッドサスペンション２３の先端には、ヘッドサスペンション２３の先端から前方に延びるロードタブ２６が固定される。ロードタブ２６はヘッドアクチュエータ１８の揺動に基づき磁気ディスク１３の半径方向に移動することができる。ロードタブ２６の移動経路上には磁気ディスク１３の外側でランプ部材２７が配置される。ランプ部材２７の先端は、磁気ディスク１３の外縁から内側に進入し、最外周記録トラック１６の外側で磁気ディスク１３の表面に向き合わせられる。ランプ部材２７およびロードタブ２６は協働でいわゆるロードアンロード機構を構成する。ランプ部材２７は例えば硬質プラスチック材料から成型されればよい。
図２に示されるように、ランプ部材２７は、磁気ディスク１３の外側でベース１２の底板に例えばねじ留めされる取り付け台３１を備える。取り付け台３１は、ベース１２の底板に受け止められる底面から垂直方向に直立する。取り付け台３１の側面には、取り付け台３１の側面からヘッドアクチュエータ１８の支軸１９に向かって水平面に沿って突き出る突片３２が形成される。突片３２は例えば一体成型に基づき取り付け台３１に一体化される。取り付け台３１および突片３２には受け入れ溝３３が形成される。受け入れ溝３３には磁気ディスク１３が受け入れられる。
突片３２の表面には、ロードタブ２６の移動経路に沿って接触面３４が規定される。この接触面３４は、磁気ディスク１３上の最外周記録トラック１６に最も接近して配置される傾斜面３５を備える。傾斜面３５は、磁気ディスク１３の中心に向かうにつれて磁気ディスク１３の表面に近づく。傾斜面３５の最上端すなわち外端には第１摺動面３６が接続される。第１摺動面３６はロードタブ２６の移動経路に沿って、傾斜面３５の最上端から取り付け台２８の側面に並列に水平方向に延びる。第１摺動面３６の外端には磁気ディスク１３から遠ざかる方向に延びる第２摺動面３７が接続される。第２摺動面３７はロードタブ２６の移動経路に沿って、第１摺動面３３から下降しつつ取り付け台２８の側面に並列に延びる。第２摺動面３７は第１摺動面３６よりも低い位置に配置される。言い換えれば、第２摺動面３７は、第１摺動面３６に比べて、磁気ディスク１３の表面を含む１水平面に接近する。第１および第２摺動面３６、３７の接続にあたって、第２摺動面３７には、第１摺動面３６から遠ざかるにつれて徐々に下る傾斜面が形成される。
接触面３４よりもヘッドアクチュエータ１８の支軸１９に近い位置で突片３２には変位規制面３８が規定される。この変位規制面３８は少なくとも第２摺動面３７に並列に延びればよい。後述されるようにロードタブ２６が第２摺動面３７に受け止められると、変位規制面３８は浮上ヘッドスライダ２４に向き合わせられる。変位規制面３８の働きで、隣接する浮上ヘッドスライダ２４同士の衝突は阻止される。
取り付け台３１の側面には、ヘッドアクチュエータ１８の支軸１９に向かって水平面に沿って突き出る板状の規制部材すなわち規制片３９が形成される。規制片３９の対向面には、接触面３４すなわち傾斜面３５並びに第１および第２摺動面３６、３７が向き合わせられる。規制片３９および接触面３４の間にはロードタブ２６を受け入れる所定の間隔が確保される。規制片３９は等間隔で第１および第２摺動面３６、３７に向き合わせられればよい。規制片３８は一体成型に基づき取り付け台３１および突片３２に一体化されてもよい。
いま、磁気ディスク１３の回転が停止する場面を想定する。情報の書き込みや読み出しが完了すると、動力源２５は支軸１９回りで順方向にヘッドアクチュエータ１８を回転させる。アクチュエータアーム２２およびヘッドサスペンション２３は磁気ディスク１３の外側に向かって駆動される。図３に示されるように、浮上ヘッドスライダ２４が最外周記録トラック１６を越えて非データゾーンすなわちランディングゾーンに向き合うと、ロードタブ２６は接触面３４の傾斜面３５に接触する。さらにアクチュエータアーム２２が揺動すると、ロードタブ２６は傾斜面３５を登っていく。ロードタブ２６が傾斜面３５を登るにつれて、ヘッドサスペンション２３の先端は磁気ディスク１３の表面から徐々に遠ざかっていく。ジンバルばねがヘッドサスペンション２３に係り合うと、浮上ヘッドスライダ２４は磁気ディスク１３の表面から引き上げられる。その後、アクチュエータアーム２２がさらに揺動すると、ロードタブ２６は第１摺動面３６から第２摺動面３７まで摺動する。ロードタブ２６が最大限に磁気ディスク１３から遠ざかると、浮上ヘッドスライダ２４は待避位置に位置決めされる。こうしてロードタブ２６はランプ部材２７に受け止められる。磁気ディスク１３の回転は停止する。ロードタブ２６はランプ部材２７上に保持されることから、無風状態にも拘わらず磁気ディスク１３に対する浮上ヘッドスライダ２４の衝突や接触は回避されることができる。磁気ディスク１３の表面に広がる潤滑剤と浮上ヘッドスライダ２４との吸着は効果的に阻止されることができる。特に、ロードタブ２６は第２摺動面３７で保持されることから、ジンバルばねとヘッドサスペンション２３との係り合いは解除される。磁気ディスク１３の静止中にジンバルばねの変形は回避される。
ＨＤＤ１１が情報の書き込みや読み出しといった指令を受け取ると、まず、磁気ディスク１３の回転が始まる。磁気ディスク１３の回転が定常状態に達すると、動力源２５は前述の順方向とは反対の逆方向に支軸１９回りにヘッドアクチュエータ１８を回転させる。アクチュエータアーム２２およびヘッドサスペンション２３は磁気ディスク１３の回転軸に向かって駆動される。ロードタブ２６は第２摺動面３７、第１摺動面３６および傾斜面３５を順番に摺動していく。アクチュエータアーム２２の揺動に基づきロードタブ２６は傾斜面３５を下っていく。
こうしてロードタブ２６が傾斜面３５を下っていく間に浮上ヘッドスライダ２４は磁気ディスク１３の表面に向き合う。浮上ヘッドスライダ２４には、磁気ディスク１３の表面に沿って生成される気流に基づき浮力が付与される。その後、アクチュエータアーム２２がさらに揺動すると、ロードタブ２６は傾斜面３５すなわちランプ部材２７から離脱する。磁気ディスク１３が定常状態で回転する結果、ランプ部材２７に支えられなくても浮上ヘッドスライダ２４は磁気ディスク１３の表面から浮上し続けることができる。
以上のようなＨＤＤ１１では、規制片３９は、対向面で傾斜面３５並びに第１および第２摺動面３６、３７に向き合わせられる。浮上ヘッドスライダ２４が磁気ディスク１３に向かって移動する際や、浮上ヘッドスライダ２４が磁気ディスク１３から待避する際に、ＨＤＤ１１に衝撃が加わると、ロードタブ２６は傾斜面３５や第１および第２摺動面３６、３７から跳ね上がろうとする。このとき、ロードタブ２６は規制片３９の対向面に受け止められる。規制片３９の働きでロードタブ２６すなわち浮上ヘッドスライダ２４の跳ね上がりは確実に阻止される。浮上ヘッドスライダ２４とハウジング用カバーやベース１２との衝突は阻止される。こうしてロードタブ２６の静止時だけでなく、ロードタブ２６の移動時にも浮上ヘッドスライダ２４の損傷は確実に回避される。
特に、前述のＨＤＤ１１では１枚の磁気ディスク１３が組み込まれる。こうしたＨＤＤ１１では、通常、磁気ディスク１３はベース１２の底板に寄せて配置される。傾斜面３５や第１および第２摺動面３６、３７とカバーとの間には大きな空間が形成されてしまう。ロードタブ２６の跳ね上がりに基づく浮上ヘッドスライダ２４とカバーとの衝突の衝撃は増大してしまう。こういった場合でも、規制片３９の働きでロードタブ２６すなわち浮上ヘッドスライダ２４の跳ね上がりは確実に阻止される。浮上ヘッドスライダ２４の損傷は確実に回避されることができる。
前述のＨＤＤ１１には例えば２枚以上の磁気ディスク１３が組み込まれてもよい。このとき、ランプ部材２７ａには、図４に示されるように、磁気ディスク１３ごとに突片３２が形成されればよい。個々の突片３２には受け入れ溝３３が形成される。個々の突片３２には、前述と同様に、接触面３４すなわち傾斜面３５並びに第１および第２摺動面３６、３７が形成される。図中、前述の実施形態と均等な構造や構成には同一の参照符号が付される。
こうしたＨＤＤ１１では、規制片３９は、対向面で傾斜面３５並びに第１および第２摺動面３６、３７に向き合わせられる。浮上ヘッドスライダ２４が磁気ディスク１３に向かって移動する際や、浮上ヘッドスライダ２４が磁気ディスク１３から待避する際に、ＨＤＤ１１に衝撃が加わっても、ロードタブ２５は規制片３９の対向面に受け止められる。こうした規制片３９の働きでロードタブ２６すなわち浮上ヘッドスライダ２４の跳ね上がりは確実に阻止される。浮上ヘッドスライダ２４とカバーとの衝突は阻止される。浮上ヘッドスライダ２４の損傷は確実に回避される。
その他、図５に示されるように、規制部材３９は例えばカバー４１の内向き面４１ａに固定されてもよい。内向き面４１ａは基準平面に沿って広がる。内向き面４１ａにはヘッドサスペンション２３が向き合わせられる。規制部材３９では、ランプ部材２７に向き合わせられる変位規制面４２が規定される。変位規制面４２は内向き面４１ａから盛り上がる。変位規制面４２には前述の傾斜面３５および第１摺動面３６が向き合わせられる。変位規制面４２には第２摺動面３７がさらに向き合わせられてもよい。図中、前述の実施形態と均等な構成や構造には同一の参照符号が付される。
同様に、規制部材３９は例えばベース１２の内向き面１２ａに固定されてもよい。内向き面１２ａは基準平面に沿って広がる。内向き面１２ａにはヘッドサスペンション２２が向き合わせられる。規制部材３９では、ランプ部材２７に向き合わせられる変位規制面４３が規定される。変位規制面４３は内向き面１２ａから盛り上がる。変位規制面４３には前述の傾斜面３５および第１摺動面３６が向き合わせられる。変位規制面４３には第２摺動面３７がさらに向き合わせられてもよい。
以上のようなＨＤＤ１１では、変位規制面４２、４３は、傾斜面３５および第１摺動面３６に向き合わせられる。浮上ヘッドスライダ２４が磁気ディスク１３に向かって移動する際や、浮上ヘッドスライダ２４が磁気ディスク１３から待避する際に、ＨＤＤ１１に衝撃が加わっても、ロードタブ２６は変位規制面４２、４３に受け止められる。変位規制面４２、４３の働きでロードタブ２６すなわち浮上ヘッドスライダ２４の跳ね上がりは確実に阻止されることができる。浮上ヘッドスライダ２４とハウジング用カバーやベース１２との衝突は阻止される。浮上ヘッドスライダ２４の損傷は確実に回避される。
なお、前述の変位規制面４２、４３は、基準平面から盛り上がるカバー４１やベース１２の内向き面４１ａ、１２ａで規定されてもよい。
【図１】
2004114309.tif 000003
【図２】
2004114309.tif 000004
【図３】
2004114309.tif 000005
【図４】
2004114309.tif 000006
【図５】
2004114309.tif 000007
【国際調査報告】
2004114309.tif 000008
2004114309.tif 000009
2004114309.tif 000010
2004114309.tif 000011